(57)【要約】【課題】引火性が低く、乾燥性のよい洗浄用組成物を提供すること。【解決手段】本発明は、（Ａ）１，１，１，３，３−ペンタフルオロブタン並びに（Ｂ）ｎ−ヘプタン、イソオクタン及びイソノナンからなる群から選ばれる少なくとも１種を含む、洗浄用組成物に関する。【選択図】なし【特許請求の範囲】
【請求項１】
（Ａ）１，１，１，３，３−ペンタフルオロブタン並びに（Ｂ）ｎ−ヘプタン、イソオクタン及びイソノナンからなる群から選ばれる少なくとも１種を含む、洗浄用組成物。
【請求項２】
（Ａ）及び（Ｂ）の合計１００質量部に対して、（Ｂ）が１７質量部以上５０質量部未満である請求項１に記載の洗浄用組成物。
【請求項３】
（Ｂ）がｎ−ヘプタン及びイソオクタンからなる群から選ばれる少なくとも１種であって、（Ａ）及び（Ｂ）の合計１００質量部に対して、（Ｂ）が１７〜４９質量部である請求項２に記載の洗浄用組成物。
【請求項４】
（Ｂ）がイソノナンであって、（Ａ）及び（Ｂ）の合計１００質量部に対して、（Ｂ）が１７〜４２質量部である請求項２に記載の洗浄用組成物。
【請求項５】
更に、（Ｃ）炭酸ジメチルを含む請求項１に記載の洗浄用組成物。
【請求項６】
（Ａ）、（Ｂ）及び（Ｃ）の合計１００質量部に対して、（Ｂ）が１３．２６〜３８．２２質量部、（Ｃ）が３．４０〜１０．８０質量部である請求項５に記載の洗浄用組成物。
【請求項７】
油性汚れ洗浄用である請求項１〜６のいずれか１項に記載の洗浄用組成物。
【発明の詳細な説明】
【技術分野】
【０００１】
本発明は、洗浄用組成物に関する。
【背景技術】
【０００２】
金属加工においては、金属の塗装、メッキ工程の前に脱脂洗浄の工程がある。また、鋼板の鏡面加工には、鉱物油及び油性インクが使用されており、洗浄する必要がある。これらの洗浄には、高い洗浄力と乾燥性が求められるため、従来、ジクロロメタン及びトリクロロエチレンが使用されてきた。しかしながら、前記成分は、発がん性があるため、特別有機溶剤に指定されており、使用が制限されている。
これに対して、ジフルオロメトキシ−ビス（ジフルオロメチルエーテル）又は１，１，２，２−テトラフルオロエチルジフルオロメチルエーテルと、ヘキサン又はペンタンとを配合した共沸性組成物を用いて、油性製品の除去を行うことが知られている（特許文献１）。
【先行技術文献】
【特許文献】
【０００３】
【特許文献１】特開２０００−６３８９３号公報
【発明の概要】
【発明が解決しようとする課題】
【０００４】
しかしながら、ヘキサン及びペンタンといった炭素数が６以下のアルカン類は、引火点が−２０℃以下と低く、安全性が低い。一方、炭素数が７以上のアルカン類は、引火点が０度付近かそれ以上であるので、炭素数が６以下のアルカンを用いた洗浄用組成物よりも安全性は高まるが、沸点も高くなるため乾燥性が悪くなり、洗浄用組成物が拭取り跡として残るという問題がある。
本発明の課題は、引火性が低く、乾燥性のよい洗浄用組成物を提供することである。
【課題を解決するための手段】
【０００５】
本発明は、以下の態様を含む。
［１］（Ａ）１，１，１，３，３−ペンタフルオロブタン並びに（Ｂ）ｎ−ヘプタン、イソオクタン及びイソノナンからなる群から選ばれる少なくとも１種を含む、洗浄用組成物。
［２］（Ａ）及び（Ｂ）の合計１００質量部に対して、（Ｂ）が１７質量部以上５０質量部未満である［１］の洗浄用組成物。
［３］（Ｂ）がｎ−ヘプタン及びイソオクタンからなる群から選ばれる少なくとも１種であって、（Ａ）及び（Ｂ）の合計１００質量部に対して、（Ｂ）が１７〜４９質量部である［２］の洗浄用組成物。
［４］（Ｂ）がイソノナンであって、（Ａ）及び（Ｂ）の合計１００質量部に対して、（Ｂ）が１７〜４２質量部である［２］の洗浄用組成物。
［５］更に、（Ｃ）炭酸ジメチルを含む［１］の洗浄用組成物。
［６］（Ａ）、（Ｂ）及び（Ｃ）の合計１００質量部に対して、（Ｂ）が１３．２６〜３８．２２質量部、（Ｃ）が３．４０〜１０．８０質量部である［５］の洗浄用組成物。
［７］油性汚れ洗浄用である［１］〜［６］の洗浄用組成物。
【発明の効果】
【０００６】
本発明により、引火性が低く、乾燥性のよい洗浄用組成物を提供することができる。
【発明を実施するための形態】
【０００７】
［用語の定義］
本明細書において、（Ａ）１，１，１，３，３−ペンタフルオロブタンを、単に（Ａ）と記載する場合がある。（Ｂ）ｎ−ヘプタン、イソオクタン及びイソノナンからなる群から選ばれる少なくとも１種等についても同様である。「拭取り跡」とは、洗浄用組成物の使用により生じた基材のシミや汚れをいう。
【０００８】
［洗浄用組成物］
洗浄用組成物は、（Ａ）１，１，１，３，３−ペンタフルオロブタン並びに（Ｂ）ｎ−ヘプタン、イソオクタン及びイソノナンからなる群から選ばれる少なくとも１種を含む（以下、これを単に「組成物」ともいう）。
組成物は、油性汚れに対して高い洗浄性を有する。また、引火性が低いため、安全性が高い。さらには、乾燥性がよく、拭取り跡を生じない。
【０００９】
＜（Ａ）１，１，１，３，３−ペンタフルオロブタン＞
（Ａ）は、１，１，１，３，３−ペンタフルオロブタンである（「３６５ｍｆｃ」とも呼ばれる）。（Ａ）は、沸点が４０℃と低いため、沸点が１００℃付近かそれ以上である（Ｂ）と混合することにより、組成物全体の沸点を下げることができる。その結果、乾燥性が向上するため、洗浄を行なった際に、油性汚れが付着した基材（以下、「被洗浄物」ともいう。）に組成物が残存しにくいので、被洗浄物に拭取り跡が残ることを抑えることができる。
【００１０】
＜（Ｂ）ｎ−ヘプタン、イソオクタン及びイソノナンからなる群から選ばれる少なくとも１種＞
（Ｂ）は、ｎ−ヘプタン、イソオクタン及びイソノナンからなる群から選ばれる少なくとも１種である。（Ｂ）は、極性が低いため、鉱物油等の極性の低い油性汚れを洗浄する能力が高い。また（Ｂ）は、引火点が０℃付近かそれ以上であるので、炭素数が６以下のアルカン類よりも引火点が高く、危険性が低い。
【００１１】
＜更なる成分＞
組成物は、更に（Ｃ）炭酸ジメチルを含むことが好ましく、また、本発明の効果を損なわない範囲で、（Ｄ）その他の成分を含んでいてもよい。
【００１２】
＜＜（Ｃ）炭酸ジメチル＞＞
（Ｃ）は、炭酸ジメチルである。（Ｃ）は、（Ｂ）と極性が異なるため、組成物が更に（Ｃ）を含むと、より広い種類の油性汚れを対象とした洗浄に、組成物を好適に用いることができる。
前記（Ａ）、（Ｂ）及び（Ｃ）は、労働安全衛生法の有機溶剤中毒予防規則に指定された溶剤に該当しない。したがって、（Ａ）及び（Ｂ）、好ましくはさらに（Ｃ）を含む組成物は、人体への影響が少ない。
【００１３】
＜＜（Ｄ）その他の成分＞＞
（Ｄ）その他の成分として、紫外線吸収剤、酸化防止剤、防錆剤、消泡剤、界面活性剤及びキレート剤からなる群より選択される１種以上が挙げられる。更なる成分は、洗浄剤の分野で慣用されている成分であれば特に限定されず、それぞれ単独で用いることもでき、また複数の混合物として用いることもできる。
【００１４】
紫外線吸収剤及び酸化防止剤は、組成物の長期保存等における安定性を向上させる成分である。紫外線吸収剤は、ベンゾトリアゾール系紫外線吸収剤、ベンゾフェノン系紫外線吸収剤、及びヒンダードアミン系紫外線吸収剤が挙げられる。酸化防止剤は、フェノール系酸化防止剤、アミン系酸化防止剤、硫黄系酸化防止剤、及びリン系等酸化防止剤が挙げられる。
【００１５】
フェノール系酸化防止剤は、２，６−ジ−ｔ−ブチル−４−メチルフェノール、トリエチレングリコール−ビス［３−（３−ｔ−ブチル−５−メチル−４−ヒドロキシフェニル）プロピオネート］、１，６−ヘキサンジオール−ビス［３−（３，５−ジ−ｔ−ブチル−４−ヒドロキシフェニル）プロピオネート］、２，４−ビス−（ｎ−オクチルチオ）−６−（４−ヒドロキシ−３，５−ジ−ｔ−ブチルアニリノ）−１，３，５−トリアジン、ペンタエリスリチル−テトラキス［３−（３，５−ジ−ｔ−ブチル−４−ヒドロキシフェニル）プロピオネート］、２，２−チオ−ジエチレンビス［３−（３，５−ジ−ｔ−ブチル−ヒドロキシフェニル）プロピオネート］、オクタドデシル−３−［３，５−ジ−ｔ−ブチル−４−ヒドロキシフェニル］プロピオネート］、Ｎ，Ｎ−ヘキサメチレンビス（３，５−ジ−ｔ−ブチル−４−ヒドロキシ−ヒドロシンナミド）、３，５−ジ−ｔ−ブチル−４−ヒドロキシ−ベンジルフォスフォネート−ジエチルエステル、１，３，５−トリメチル−２，４，６−トリス（３，５−ジ−ｔ−ブチル−４−ヒドロキシベンジル）ベンゼン、２，４−ビス［（オクチルチオ）メチル］−ｏ−クレゾール等が挙げられる。
【００１６】
アミン系酸化防止剤は、アルキル化ジフェニルアミン、トリス−（３，５−ジ−ｔ−ブチル−４−ヒドロキシベンジル）−イソシアヌレート、Ｎ，Ｎ−ジ−ｓｅｃ−ブチル−ｐ−フェニレンジアミン、ｐ−フェニレンジアミン誘導体、１，３，５−トリス（４−ｔ−ブチル−３−ヒドロキシ−２，６−ジメチル）イソシアヌレート等が挙げられる。硫黄系酸化防止剤は、２，４−ビス［（オクチルチオ）メチル］−ｏ−クレゾール、ジラウリル−３，３−チオジプロピオネート、ジミリスチル−３，３−ジオジプロピオネート、ジステアリル−３，３−チオジプロピオネート、ペンタエリスリチルテトラキス（３−ラウリルチオプロピオネート）、ジトリデシル−３，３−チオジプロピオネート、２−メルカプトベンズイミダゾール、ビス［２−メチル−４−（３−ｎ−アルキルチオプロピオニルオキシ）−５−ｔ−ブチルフェニル］スルフィド等が挙げられる。リン系酸化防止剤は、トリス−ノニルフェニルフォスファイト、トリフェニルフォスファイト、トリス（２，４−ジ−ｔ−ブチルフェニル）フォスファイト、トリス（イソデシル）フォスファイト等が挙げられる。
【００１７】
キレート剤は、アミノカルボン酸系のキレート剤が挙げられ、ヒドロキシエチルアミノ酢酸、ヒドロキシエチルイミノ二酢酸、エチレンジアミンテトラ酢酸やそれらの塩等が好ましい。
【００１８】
防錆剤は、シクロヘキシルアミン及びジシクロヘキシルアミンが挙げられる。界面活性剤は、非イオン性界面活性剤が挙げられ、高級アルコールエチレンオキサイド付加物、アルキルフェノールエチレンオキサイド付加物、脂肪酸エチレンオキサイド付加物、高級アルキルアミンエチレンオキサイド付加物、ソルビトール及びソルビタンの脂肪酸エステル、ショ糖脂肪酸エステル、シリコーン系界面活性剤、及びフッ素系界面活性剤等が好ましい。
【００１９】
＜組成物の組成＞
組成物における（Ａ）及び（Ｂ）の合計１００質量部に対する（Ｂ）の配合量は、好ましくは１７質量部以上５０質量部未満であり、より好ましくは１７〜４９質量部であり、更に好ましくは１７〜４２質量部である。このような範囲であると、油性汚れに対する洗浄性が優れる。また、洗浄性の観点から、（Ａ）及び（Ｂ）の合計１００質量部に対する（Ｂ）の配合量は、（Ｂ）がｎ−ヘプタン及びイソオクタンからなる群から選ばれる少なくとも１種である場合は、好ましくは１７〜４９質量部であり、（Ｂ）がイソノナンである場合は、好ましくは１７〜４２質量部である。
組成物における（Ａ）、（Ｂ）及び（Ｃ）の合計１００質量部に対する（Ｂ）の配合量は、好ましくは１３．２６〜３８．２２質量部であり、より好ましくは１４〜３８質量部であり、（Ｃ）の配合量は、好ましくは３．４０〜１０．８０質量部であり、より好ましくは４〜１０質量部である。このような範囲であると、油性汚れに対する洗浄性が優れる。
【００２０】
＜製造方法＞
組成物の製造方法は特に限定されないが、上述の成分を、公知の方法で、撹拌、混合、溶解、分散等を適宜選択して行なうことによって製造することができる。上述の成分は、市販品を用いることができる。
【００２１】
＜油性汚れ＞
組成物は、油性汚れの洗浄に用いることが好ましい。油性汚れとしては、非極性成分による油性汚れ、極性成分による油性汚れ、及び極性の異なる複数の成分による油性汚れが挙げられ、より具体的には、鉱物油、非極性有機溶剤といった非極性成分による油性汚れ、植物油脂、動物油脂、極性有機溶剤といった極性成分による油性汚れ、油性インク、化粧品といった極性の異なる複数の成分による油性汚れが挙げられる。
【００２２】
鉱物油としては、特に制限はなく、市販品としてはプーリーSFオイル（出光興産株式会社製）が挙げられる。
植物油脂としては、オリーブ油、アマニ油、キリ油、ゴマ油、サフラワー油、大豆油、ヒマシ油、綿実油、ヤシ油、コーン油及び脱水ヒマシ油等が挙げられる。植物油を構成する脂肪酸は、Ｃ１２〜Ｃ１８の飽和又は不飽和脂肪酸であり、具体的には、ラウリン酸、ミリスチン酸、パルミチン酸、ステアリン酸、オレイン酸、リノール酸、リノレン酸、及びエレオステアリン酸等が挙げられる。
動物油脂としては、魚油、鯨油、豚脂、牛脂等が挙げられる。
油性インクは、通常、有機溶剤、染料及び／又は顔料、並びに任意に樹脂を含むが、特に限定されない。
化粧品としては、基礎化粧品、仕上げ化粧品、毛髪用化粧品等が挙げられる。
【００２３】
（Ａ）及び（Ｂ）を含む組成物は、非極性成分による油性汚れ、特に鉱物油による油性汚れに好適に用いることができるが、これに限定されない。
（Ａ）、（Ｂ）及び（Ｃ）を含む好ましい態様の組成物は、非極性成分による油性汚れ、極性成分による油性汚れ、及び極性の異なる複数の成分による油性汚れに好適であり、特に油性インクによる油性汚れ及び鉱物油による油性汚れに好適に用いることができる。極性の異なる複数の成分による油性汚れ、特に油性インクによる油性汚れに対して好適に用いられる組成は、前述の通りである。非極性成分による油性汚れ及び極性の異なる複数の成分による油性汚れのいずれにも好適に用いられる組成、特に油性インクによる油性汚れ及び鉱物油による油性汚れのいずれにも好適に用いられる組成は、前述の組成において、（Ｂ）成分及び（Ｃ）成分の合計１００質量部に対する（Ｃ）成分の配合量が２２質量部以下であることが好ましい。
【００２４】
＜洗浄方法＞
組成物を用いた洗浄方法は、被洗浄物を洗浄するため方法であって、組成物を被洗浄物と接触させることを含む。
基材は、特に制限されないが、金属、繊維、ガラス、陶器、プラスチック等が挙げられ、これらの中でも、加工の際に油性汚れを除去する要請がある金属が好ましい。
洗浄方法において、組成物を被洗浄物に接触させることにより、基材に付着した油性汚れは、基材から除去される。なお、油性汚れが塵、埃等の固形の汚れを含む場合、この固形の汚れは、油性汚れの除去と同時に除去され得る。
【００２５】
組成物と、被洗浄物とを接触させるための方法としては、特に制限はなく、例えば、手拭き洗浄、浸漬洗浄（液相洗浄）、スプレー洗浄、超音波洗浄、蒸気洗浄（気相洗浄）が挙げられるが、手拭き洗浄が好ましい。手拭き洗浄は、通常、組成物を染み込ませた紙、布等を、油性汚れが付着した領域に接触させながら手でこすることにより、又は組成物を染み込ませた紙、布等を、油性汚れが付着した領域に接触させながら板や棒を介して手でこすることにより行う。油性汚れが油性インクによるものである場合は、組成物を染み込ませた紙、布等を、平らな板を介して手でこすると、溝のように拭取り跡が生じることを抑制することができる。組成物及び被洗浄物の接触時間に相当する洗浄時間は、基材から油性汚れを除去できる時間であれば特に制限されない。例えば、洗浄時間は、１０秒〜２時間であってもよい。
【実施例】
【００２６】
実施例で用いた成分は、以下の通りである。
３６５ｍｆｃ：１，１，１，３，３−ペンタフルオロブタン
実施例１〜１７の洗浄用組成物は、それぞれ、各成分を表２〜６の配合量で混合することにより調製した。
【００２７】
＜（Ａ）鉱物油洗浄試験＞
実施例１〜１５の洗浄用組成物を用いて、洗浄性試験を以下の通り行い、下記評価基準に基づき評価した。結果を表２〜５に示す。
（１）洗浄試験サンプル１の作成
ＳＵＳ４３０のステンレス鋼（縦５０ｍｍ、横５０ｍｍ、厚さ０．５ｍｍ）を、１−ブロモプロパンに１０分以上浸漬した後、乾燥することにより洗浄した。洗浄後の前記ステンレス鋼の表面の縦１５ｍｍ、横３０ｍｍの領域に、鉱物油（プーリーSFオイル：出光興産株式会社製）である鉱物油を丸筆３号（馬毛）を用いて塗布し、洗浄試験サンプル１とした。
【００２８】
（２）洗浄試験
２枚重ねのティッシュペーパー（王子ネピア株式会社製）１組を、縦６５ｍｍ、横７２ｍｍの大きさにしたものを、四つ折りにして各実施例の洗浄用組成物を染み込ませ、それを親指と人差し指で１回絞った。
洗浄試験サンプル１の鉱物油が塗布された領域に、前記洗浄用組成物を染み込ませたティッシュペーパーの半分を接触させて手でこすることにより拭いた後、もう一度その領域にティッシュペーパーの残りの半分を接触させて手でこすることにより拭いた。
【００２９】
（３）評価
洗浄試験後、洗浄試験サンプル１の鉱物油が洗浄されたか否かを目視観察し、以下の基準で評価した。
○：鉱物油の残渣がなく、かつ拭取り跡が残らない。
×：鉱物油の残渣がある、及び／又は拭取り跡が残る。
【００３０】
【表１】
2018076445.tif 000002
【００３１】
【表２】
2018076445.tif 000003
【００３２】
【表３】
2018076445.tif 000004
【００３３】
【表４】
2018076445.tif 000005
【００３４】
【表５】
2018076445.tif 000006
【００３５】
＜（Ｂ）油性インク洗浄試験＞
実施例１６及び１７の洗浄用組成物を用いて洗浄性試験を以下の通り行い、下記評価基準に基づき評価した。結果を表６に示す。
（１）洗浄試験サンプル２の作成
ＳＵＳ４３０のステンレス鋼（縦５０ｍｍ、横５０ｍｍ、厚さ０．５ｍｍ）を、１−ブロモプロパンに１０分以上浸漬した後、乾燥することにより洗浄した。洗浄後の前記ステンレス鋼の表面の縦３０ｍｍ、横１０ｍｍの領域に、油性インク（サクラマーカー極太ＳＧ７  黒：株式会社サクラクレパス製）を１回塗布した後、５分間室温で放置して乾燥させた。２枚重ねのティッシュペーパー（王子ネピア株式会社製）１組で塗布した領域を拭いても、油性マーカーのインキがティッシュペーパーに付着しないことを確認して、洗浄試験サンプル２とした。
【００３６】
（２）洗浄試験サンプル３の作成
ＳＵＳ４３０のステンレス鋼（縦５０ｍｍ、横２５ｍｍ、厚さ０．５ｍｍ）を、１−ブロモプロパンに１０分以上浸漬した後、乾燥することにより洗浄した。洗浄後の前記ステンレス鋼の表面の縦３０ｍｍ、横８ｍｍの領域に、油性インク（ハイマッキー  黒  太字側：ゼブラ株式会社製）を２回塗布した後、５分間室温で放置して乾燥させた。２枚重ねのティッシュペーパー（王子ネピア株式会社製）１組で塗布した領域を拭いても、油性マーカーのインキがティッシュペーパーに付着しないことを確認して、洗浄試験サンプル３とした。
【００３７】
（３）洗浄試験
２枚重ねのティッシュペーパー（王子ネピア株式会社製）１組を、縦５０ｍｍ、横５０ｍｍの大きさにしたものを、四つ折りにして各実施例の洗浄用組成物を染み込ませ、それを親指と人差し指で１回絞った。
洗浄試験サンプル２及び３の油性インクが塗布された領域に、前記洗浄用組成物を染み込ませたティッシュペーパーを接触させてポリプロピレン板を介して手でこすることにより３回拭いた。
【００３８】
（４）評価
洗浄試験後、洗浄試験サンプル２及び３の油性インクが洗浄されたか否かを目視観察し、以下の基準で評価した。
○：油性インクの残渣がなく、かつ拭取り跡が残らない。
×：油性インクの残渣がある、及び／又は拭取り跡が残る。
【００３９】
【表６】
2018076445.tif 000007
【００４０】
表１によれば、ｎ−ヘプタン、イソオクタン及びイソノナンは、引火点が０℃付近又はそれ以上であり、ペンタン及びヘキサンよりもはるかに引火点が高く、安全性が高い。その上、表２〜４によれば、前記引火点の高いアルカン類を含む本発明の組成物は、金属表面に付着した鉱物油の汚れに対し、高い洗浄力を示した。また拭取り跡も残らなかったため乾燥性も良好であった。
また、表５によれば、さらに炭酸ジメチルを含む好ましい態様の本発明の組成物は、金属表面に付着した鉱物油の汚れに対し、高い洗浄力を示した。また拭取り跡も残らなかったため乾燥性も良好であった。表６によれば、さらに炭酸ジメチルを含む好ましい態様の本発明の組成物は、金属表面に付着した油性インクの汚れに対し、高い洗浄力を示した。また拭取り跡も残らなかったため乾燥性も良好であった。
【産業上の利用可能性】
【００４１】
本発明の組成物は、油性汚れの付着した基材から油性汚れを除去するための洗浄剤として産業上極めて有用である。
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
（Ａ）１，１，１，３，３−ペンタフルオロブタン並びに（Ｂ）ｎ−ヘプタン、イソオクタン及びイソノナンからなる群から選ばれる少なくとも１種を含む、洗浄用組成物であって、（Ａ）及び（Ｂ）の合計１００質量部に対して、（Ｂ）が１７質量部以上５０質量部未満である洗浄用組成物。
【請求項２】
（Ｂ）がｎ−ヘプタン及びイソオクタンからなる群から選ばれる少なくとも１種であって、（Ａ）及び（Ｂ）の合計１００質量部に対して、（Ｂ）が１７〜４９質量部である請求項１に記載の洗浄用組成物。
【請求項３】
（Ｂ）がイソノナンであって、（Ａ）及び（Ｂ）の合計１００質量部に対して、（Ｂ）が１７〜４２質量部である請求項１に記載の洗浄用組成物。
【請求項４】
更に、（Ｃ）炭酸ジメチルを含む請求項１に記載の洗浄用組成物。
【請求項５】
（Ａ）、（Ｂ）及び（Ｃ）の合計１００質量部に対して、（Ｂ）が１３．２６〜３８．２２質量部、（Ｃ）が３．４０〜１０．８０質量部である請求項４に記載の洗浄用組成物。
【請求項６】
油性汚れ洗浄用である請求項１〜５のいずれか１項に記載の洗浄用組成物。
【請求項７】
手拭き洗浄用である請求項１〜６のいずれか１項に記載の洗浄用組成物。
【手続補正２】
【補正対象書類名】明細書
【補正対象項目名】００２６
【補正方法】変更
【補正の内容】
【００２６】
実施例で用いた成分は、以下の通りである。
３６５ｍｆｃ：１，１，１，３，３−ペンタフルオロブタン
実施例１〜１３、１６及び１７並びに参考例１４及び１５の洗浄用組成物は、それぞれ、各成分を表２〜６の配合量で混合することにより調製した。
【手続補正３】
【補正対象書類名】明細書
【補正対象項目名】００２７
【補正方法】変更
【補正の内容】
【００２７】
＜（Ａ）鉱物油洗浄試験＞
実施例１〜１３並びに参考例１４及び１５の洗浄用組成物を用いて、洗浄性試験を以下の通り行い、下記評価基準に基づき評価した。結果を表２〜５に示す。
（１）洗浄試験サンプル１の作成
ＳＵＳ４３０のステンレス鋼（縦５０ｍｍ、横５０ｍｍ、厚さ０．５ｍｍ）を、１−ブロモプロパンに１０分以上浸漬した後、乾燥することにより洗浄した。洗浄後の前記ステンレス鋼の表面の縦１５ｍｍ、横３０ｍｍの領域に、鉱物油（プーリーSFオイル：出光興産株式会社製）である鉱物油を丸筆３号（馬毛）を用いて塗布し、洗浄試験サンプル１とした。
【手続補正４】
【補正対象書類名】明細書
【補正対象項目名】００３４
【補正方法】変更
【補正の内容】
【００３４】
【表５】
2018076445.tif 000008
【手続補正５】
【補正対象書類名】明細書
【補正対象項目名】００４０
【補正方法】変更
【補正の内容】
【００４０】
表１によれば、ｎ−ヘプタン、イソオクタン及びイソノナンは、引火点が０℃付近又はそれ以上であり、ペンタン及びヘキサンよりもはるかに引火点が高く、安全性が高い。その上、表２〜４によれば、前記引火点の高いアルカン類を含む本発明の組成物は、金属表面に付着した鉱物油の汚れに対し、高い洗浄力を示した。また拭取り跡も残らなかったため乾燥性も良好であった。
また、表５によれば、さらに炭酸ジメチルを含む参考例の組成物は、金属表面に付着した鉱物油の汚れに対し、高い洗浄力を示した。また拭取り跡も残らなかったため乾燥性も良好であった。表６によれば、さらに炭酸ジメチルを含む好ましい態様の本発明の組成物は、金属表面に付着した油性インクの汚れに対し、高い洗浄力を示した。また拭取り跡も残らなかったため乾燥性も良好であった。